(57)【要約】【課題】  目的とする波長帯の光のみを選択的に正確に透過又は反射させることによって、外光に起因するコントラスト低下を効率的に防止することができるスクリーン及びこれを組み込んだプロジェクタを提供すること。【解決手段】  反射型スクリーン部材１８において、青領域、緑領域、及び赤領域の像光のみが反射層１８ｂに到達し、その他の波長領域の光が反射層１８ｂに到達することを阻止することができるので、青領域、緑領域、及び赤領域外の外光が外乱光として観察されることを防止でき、反射型スクリーン部材１８上に形成される画像を高コントラストの状態で観察することができる。【選択図】    図２
2006243227.tif 000002
【特許請求の範囲】
【請求項１】
可視光の所定波長域に分布する像光を画像として投射するためのスクリーン本体と、
可視光において遮断又は透過の対象波長帯域が互いに異なる干渉型の複数のフィルタ要素を含み、前記所定波長域の像光を透過させるフィルタ手段と
を備えるスクリーン。
【請求項２】
前記複数のフィルタ要素は、それぞれ遮断に関する前記対象波長帯域が異なるバンドリジェクションタイプの多層膜であり、当該複数のフィルタ要素の各対象波長帯域を除いた波長範囲において、前記所定波長域の像光を透過させることを特徴とする請求項１記載のスクリーン。
【請求項３】
前記像光の前記所定波長域は、赤、緑、及び青に対応するものであり、前記複数のフィルタ要素の前記対象波長帯域は、赤及び緑の中間波長と、青及び緑の中間波長とに設定されることを特徴とする請求項２記載のスクリーン。
【請求項４】
前記像光の前記所定波長域は、赤、緑、及び青の各色ごとに所定の波長幅を有するものであり、前記複数のフィルタ要素の前記対象波長帯域は、各色のうち、輝線スペクトル型のランプ照明装置の所定の輝線スペクトルの波長を含むように設定されることを特徴とする請求項２及び請求項３のいずれか一項記載のスクリーン。
【請求項５】
前記スクリーン本体は、前記像光を反射観察する反射型の構造を有し、前記フィルタ手段は、前記スクリーン本体の射出側に設けられていることを特徴とする請求項１から請求項４のいずれか一項記載のスクリーン。
【請求項６】
前記スクリーン本体は、前記像光を透過観察する透過型の構造を有し、前記フィルタ手段は、前記スクリーン本体の入射側又は射出側の少なくとも一方に設けられていることを特徴とする請求項１から請求項４のいずれか一項記載のスクリーン。
【請求項７】
光源と、
前記光源から射出された照明光を変調する光変調部と、
前記光変調部によって変調された変調光を像光として投射する投射光学系と、
前記投射光学系を経た像光が投射される請求項１から請求項６のいずれか一項記載のスクリーンと
を有するプロジェクタ。
【請求項８】
前記光源は、異なる色の照明光を発生する複数の固体光源であることを特徴とする請求項７記載のプロジェクタ。
【請求項９】
前記光源は、少なくとも１色の照明光を発生する固体光源と、当該固体光源からの光を長波光に変換する蛍光材料とを有することを特徴とする請求項７記載のプロジェクタ。
【請求項１０】
可視光の所定波長域に分布する像光を透過させるレンズ本体と、
可視光において遮断又は透過の対象波長帯域が互いに異なるとともに前記レンズ本体上に成膜される干渉型の複数のフィルタ要素を含み、前記所定波長域の像光を透過させるフィルタ手段と
を備えるメガネ。
【発明の詳細な説明】
【技術分野】
【０００１】
本発明は、コントラスト向上を可能にする投影用のスクリーン、プロジェクタ、及びメガネに関する。
【背景技術】
【０００２】
投影画像のコントラスト向上を目的とする第１のスクリーンとして、複数の可視光波長に対して同調させた多層膜からなる選択透過膜を備えるものが知られている（特許文献１）。このスクリーンでは、例えば光学膜厚を１．０６μｍとして、これの１／２．５倍、１／２．０倍、及び１／１．５倍にそれぞれ相当する４５７ｎｍ（青色）、５３２ｎｍ（緑色）、及び６４２ｎｍ（赤色）の三原色光のみを透過させることができるので、外光の透過・吸収によってコントラストを改善することができる。
【０００３】
また、第２のスクリーンとして、マトリックス法に基づいたシミュレーションによって複数の特定波長帯の光に対して高反射性を有してこれ以外の可視波長域光に対して高透過性を有するように膜設計したものが存在する（特許文献２）。このスクリーンでは、特定波長帯の光として例えば赤色、緑色、及び青色を選択してこれら波長帯の光のみを反射し、それ以外を透過させることで、外光に起因するコントラスト低下を防止している。
【０００４】
さらに、第３のスクリーンとして、透明樹脂をバインダとして選択吸収色素を分散させた塗料をスクリーンの反射層上に塗布したものが存在する（特許文献３）。このスクリーンでは、赤、緑、及び青色の三原色波長域の光を透過させ、かかる三原色波長域と異なる波長領域の外光を色素に吸収させることで、外光に起因するコントラスト低下を防止している。
【特許文献１】特開２００４−２１９９００号公報
【特許文献２】特開２００３−２７０７２５号公報
【特許文献３】特開２００４−１６３８０６号公報
【発明の開示】
【発明が解決しようとする課題】
【０００５】
しかし、上記第１のスクリーンの場合、選択透過膜の各透過波長が一定の規則的間隔を有するものに限られ、任意の波長の像光を透過させることができない。また、その透過特性は、ピークが比較的急峻で裾が広がる傾向を有し、各透過波長における透過特性が一様になってしまうので、各色ごとに透過波長幅を精密に設定することができない。
【０００６】
また、上記第２のスクリーンの場合、特定波長帯の光に対してのみ正確な高反射性を持たせることは容易でなく、高透過のピークの合間に小さなピークが多数表れる傾向があり、三原色の波長域の光のみならずそれ以外の不要光まで反射される。このため、コントラストの向上を十分に達成できなくなる傾向がある。
【０００７】
また、上記第３のスクリーンの場合、選択吸収色素を用いているため、既存の色素に固有の固定的な吸収特性を付与することができるだけであり、透過特性の自由な設定は困難である。また、色素の吸光特性は、一般に吸収帯が裾の部分に広がっており、また、多数の付随的ピークを伴うため、目的の波長域以外の必要な波長域の光まで吸収され、コントラストの向上を十分に達成できなくなる傾向がある。
【０００８】
そこで、本発明は、目的とする波長帯の光のみを選択的に正確に透過又は反射させることによって、外光に起因するコントラスト低下を効率的に防止することができるスクリーン及びこれを組み込んだプロジェクタを提供することを目的とする。
【０００９】
また、本発明は、上記スクリーンと同様に、外光に起因する対象画像のコントラスト低下を効率的に防止することができるメガネを提供することを目的とする。
【課題を解決するための手段】
【００１０】
上記課題を解決するため、本発明に係るスクリーンは、（ａ）可視光の所定波長域に分布する像光を画像として投射するためのスクリーン本体と、（ｂ）可視光において遮断又は透過の対象波長帯域が互いに異なる干渉型の複数のフィルタ要素を含み、所定波長域の像光を透過させるフィルタ手段とを備える。
【００１１】
上記スクリーンでは、フィルタ手段が、対象波長帯域が互いに異なる干渉型の複数のフィルタ要素を含み、所定波長域の像光を透過させるので、個々のフィルタ要素の遮断又は透過特性を正確に設定することができ、これらのフィルタ要素を合わせた特性も目標に正確に適合させたものとすることができる。よって、本スクリーンでは、外光や光源中の不要光を除いた本来の画像光のみを観察することができ、高品位の画像を鑑賞することが可能になる。
【００１２】
また、本発明の具体的側面又は態様では、上記スクリーンにおいて、複数のフィルタ要素が、それぞれ遮断に関する対象波長帯域が異なるバンドリジェクションタイプの多層膜であり、当該複数のフィルタ要素の各対象波長帯域を除いた波長範囲において、所定波長域の像光を透過させる。この場合、複数のバンドリジェクションタイプの多層膜での反射によって外光等の不要光を除去するとともに、複数のバンドリジェクションタイプの多層膜での透過によって目的とする像光を抽出することができる。
【００１３】
また、本発明の別の具体的側面又は態様では、像光の所定波長域が、赤、緑、及び青に対応するものであり、複数のフィルタ要素の対象波長帯域が、赤及び緑の中間波長と、青及び緑の中間波長とに設定される。この場合、像光に含まれる赤、緑、及び青の光を透過させ、これらの色の中間波長の外光等を除くことができ、本来の像光を損なうことなくコントラストの向上を図ることができる。
【００１４】
また、本発明の別の具体的態様では、像光の所定波長域が、赤、緑、及び青の各色ごとに所定の波長幅を有するものであり、複数のフィルタ要素の対象波長帯域は、各色のうち、輝線スペクトル型のランプ照明装置の所定の輝線スペクトルの波長を含むように設定される。この場合、本来の像光を一部損なうことになるが、周囲のランプ照明装置からの不要光を効率的に除去してコントラスト向上を達成することができる。
【００１５】
また、本発明の別の具体的態様では、スクリーン本体が、像光を反射観察する反射型の構造を有し、フィルタ手段が、スクリーン本体の射出側に設けられている。この場合、フロントプロジェクションタイプのプロジェクタ等によって形成された画像を観察する際に、外光によるコントラスト低下を防止することができる。
【００１６】
また、本発明の別の具体的態様では、スクリーン本体が、像光を透過観察する透過型の構造を有し、フィルタ手段が、スクリーン本体の入射側又は射出側の少なくとも一方に設けられている。この場合、リアプロジェクションタイプのプロジェクタや自発光型のディスプレイ装置を観察する際に、外光によるコントラスト低下を防止できる。
【００１７】
また、本発明に係るプロジェクタは、（ａ）光源と、（ｂ）光源から射出された照明光を変調する光変調部と、（ｃ）光変調部によって変調された変調光を像光として投射する投射光学系と、（ｄ）投射光学系を経た像光が投射される上述のスクリーンとを有する。
【００１８】
上記プロジェクタでは、光変調部によって形成された像光を投射光学系によって任意の倍率で上記スクリーンに投射することができる。そして、スクリーンに設けたフィルタ手段によって、外光や光源中の不要光を除いた本来の画像光のみを観察することができ、高品位の画像を鑑賞することが可能になる。
【００１９】
また、本発明の具体的態様では、上記プロジェクタにおいて、光源が、異なる色の照明光を発生する複数の固体光源である。この場合、像光が分布する所定波長域を狭帯域に制限することができるので、像光を維持したままで外光を効果的に除去することができる。
【００２０】
また、本発明の具体的態様では、光源が、少なくとも１色の照明光を発生する固体光源と、当該固体光源からの光を長波光に変換する蛍光材料とを有する。この場合、固体光源の発光色を増やすことなく多様な色彩の像光を得ることができる。
【００２１】
また、本発明に係るメガネは、（ａ）可視光の所定波長域に分布する像光を透過させるレンズ本体と、（ｂ）可視光において遮断又は透過の対象波長帯域が互いに異なるとともにレンズ本体上に成膜される干渉型の複数のフィルタ要素を含み、所定波長域の像光を透過させるフィルタ手段とを備える。
【００２２】
上記メガネでは、レンズ本体上に成膜されたフィルタ手段によって、外光や光源中の不要光を除いた本来の画像光のみを観察することができ、高品位の画像を鑑賞することが可能になる。
【発明を実施するための最良の形態】
【００２３】
〔第１実施形態〕
図１は、本発明の第１実施形態に係るプロジェクタを説明する側面図である。このプロジェクタ１０は、動画や静止画を表示するための画像表示装置であり、プロジェクタ本体１４と、反射型スクリーン部材１８とを備える。
【００２４】
プロジェクタ本体１４は、光源光を発生する光源装置２１と、光源装置２１からの光源光をＲＧＢの３色に分割する色分割光学系２３と、色分割光学系２３から射出された各色の照明光によってそれぞれ照明される３つの液晶ライトバルブからなる光変調部２５と、光変調部２５からの各色の変調光を合成するクロスダイクロイックプリズムである光合成光学系２７と、光合成光学系２７を経た合成光を像光ＩＬとして反射型スクリーン部材１８上に投射するための投射光学系である投射レンズ２９とを内蔵する。なお、プロジェクタ本体１４からの像光ＩＬは、全体として上方向に傾いた状態で反射型スクリーン部材１８に入射する。このため、プロジェクタ本体１４では、投射画像に対して台形補正を行うこと等によって、反射型スクリーン部材１８上に矩形輪郭の画像を投影することとしている。
【００２５】
反射型スクリーン部材１８は、図示を省略する壁等に支持されて平坦かつ垂直に設置されている。プロジェクタ本体１４によって反射型スクリーン部材１８に投射された像光ＩＬは、反射型スクリーン部材１８上に対応する画像を形成し、当該画像からの観察光ＯＬは、視聴者の目ＥＹに入射する。
【００２６】
図２に示すように、反射型スクリーン部材１８は、板状の本体基材１８ａと、この本体基材１８ａの表面側に形成された反射層１８ｂと、反射層１８ｂの表面側に形成されたスクリーン用フィルタ１８ｆとを備える。このうち、本体基材１８ａと反射層１８ｂとは、画像を投射して表示するためのスクリーン本体となっている。
【００２７】
ここで、本体基材１８ａは、表面が白色の板材であり、合成樹脂、金属、複合材料等を適宜積層して一定の剛性を持たせたものとなっている。反射層１８ｂは、例えばパール顔料をグラビア印刷した薄膜であり、図面右側から入射した像光を散乱させつつ図面右側に反射する。スクリーン用フィルタ１８ｆは、像光を透過させ外光を遮断するためのフィルタ手段であり、それぞれがバンドリジェクションフィルタである一対のフィルタ要素層１８ｇ，１８ｈを２段に積層した構造となっている。
【００２８】
図３（ａ）は、図２に示すスクリーン用フィルタ１８ｆの透過率特性を説明するグラフであり、図３（ｂ）は、図１に示すプロジェクタ本体１４の光源装置２１が射出する光源光の波長特性を説明するグラフである。
【００２９】
図３（ａ）のグラフ中で、実線は一方のフィルタ要素層１８ｇの透過率（％）を示し、点線は他方のフィルタ要素層１８ｈの透過率（％）を示す。また、一点鎖線は両フィルタ要素層１８ｇ，１８ｈを合成したスクリーン用フィルタ１８ｆの透過率（％）を示す。一方、図３（ｂ）に例示するように、光源装置２１からの光源光の波長分布は、連続的で複数波長にピークを有するが、図中に例示した青領域、緑領域、及び赤領域のみが変調光として利用されている。つまり、図１において、プロジェクタ本体１４から射出される像光ＩＬは、色分割光学系２３等によって適宜不要光が除去され、所定波長域、すなわち青領域（波長４７０ｎｍ以下）、緑領域（波長５２０〜５５０ｎｍ）、及び赤領域（波長６１０ｎｍ以上）に略限定されたものとなっている。
【００３０】
図３（ａ）に示すスクリーン用フィルタ１８ｆにおいて、一方のフィルタ要素層１８ｇの対象波長域であるバンドリジェクション範囲は、波長４７０ｎｍ〜５２０ｎｍとなっており、他方のフィルタ要素層１８ｈの対象波長域であるバンドリジェクション範囲は、波長５５０ｎｍ〜６１０ｎｍとなっている。結果的に、スクリーン用フィルタ１８ｆ全体としては、波長４００ｎｍ〜４７０ｎｍ（青領域）、５２０ｎｍ〜５５０ｎｍ（緑領域）、及び６１０ｎｍ〜６６０ｎｍ（赤領域）で約９０％の高透過率を確保することができる。一方で、このスクリーン用フィルタ１８ｆは、中間波長、すなわち波長４７０ｎｍ〜５２０ｎｍ、及び５５０ｎｍ〜６１０ｎｍで約５％程度の低透過率に抑えられており、このような波長域の光が反射層１８ｂに到達して散乱されることを防止する。つまり、青領域、緑領域、及び赤領域の像光ＩＬ（図１参照）のみが反射層１８ｂに到達し、その他の波長領域の光が反射層１８ｂに到達することを阻止することができるので、青領域、緑領域、及び赤領域外の波長を有する外光ＥＬが外乱光ＤＬとして観察されることを防止でき、反射型スクリーン部材１８上に形成される画像を高コントラストの状態で観察することができる。なお、外光ＥＬがスクリーン用フィルタ１８ｆで正反射された場合、この外光ＥＬは、視聴者の目ＥＹによって観察される可能性がある。しかしながら、外光ＥＬの正反射光については、直射型の外光ＥＬの制限や視聴者の位置変更等の環境設定によって、通常目立たないものに調節することができる。
【００３１】
なお、以上の説明では、像光ＩＬが青領域、緑領域、及び赤領域に略限定されているとしたが、像光ＩＬが青領域、緑領域、及び赤領域間の中間波長を含むものであってもよい。この場合、スクリーン用フィルタ１８ｆによって色の純度を下げる中間波長の光が除去されるので、反射型スクリーン部材１８上に鮮やかな画像を観察することができる。
【００３２】
図４（ａ）〜４（ｃ）は、図１に示すプロジェクタ本体１４の光源装置２１の変形例を説明するグラフである。
【００３３】
図４（ａ）に例示する場合、光源装置２１の光源として三原色の固体光源を用いて、光変調部２５に設けた各色用の液晶ライトバルブを照明する。つまり、光変調部２５に内蔵される光源は、波長約４６０ｎｍ（或いは４４０ｎｍ）にピークを有する原青色ＬＥＤと、波長約５３０ｎｍにピークを有する緑色ＬＥＤと、波長約６４０ｎｍ（或いは６３０ｎｍ）にピークを有する赤色ＬＥＤとを備える。この場合、スクリーン用フィルタ１８ｆにおいて、一方のフィルタ要素層１８ｇのバンドリジェクション範囲を例えば波長４７０ｎｍ〜５２５ｎｍとし、他方のフィルタ要素層１８ｈのバンドリジェクション範囲を例えば波長５３５ｎｍ〜６１０ｎｍとする。これにより、視感度の高い緑領域を５２５ｎｍ〜５３５ｎｍの非常に狭帯域に設定することができ、よりコントラストの高い画像を得ることができる。
【００３４】
図４（ｂ）に例示する場合、光源装置２１の光源として、青領域、緑領域、及び赤領域の各色光を発生する白色ＬＥＤを用いている。この場合、光源が、波長約４５０ｎｍにピークを有する固体光源としての青色ＬＥＤと、この青色ＬＥＤを覆う蛍光材料とを備える。これにより、光源装置２１から、波長約４５０ｎｍにピークを有する青領域の光源光と、波長５２０〜５５０ｎｍの緑領域の蛍光光と、波長６１０〜６６０ｎｍの赤領域の蛍光光とが射出される。このような光源装置２１を採用した場合、スクリーン用フィルタ１８ｆとして、例えば図３（ａ）に例示するような透過特性を有するものを用いることができる。この場合も、外光の影響を排除してコントラストの高い画像を得ることができる。
【００３５】
図４（ｃ）に例示する場合、光源装置２１の光源として、固体光源である３つのレーザ光源によって、光変調部２５に設けた各色用の液晶ライトバルブを照明する。つまり、光変調部２５に内蔵される光源は、波長約４０５ｎｍにピークを有する紫外側青色ＬＤと、波長約４５０ｎｍにピークを有する青色ＬＤと、波長約６３０ｎｍにピークを有する赤色ＬＤとを備える。そして、紫外側青色ＬＤに付随してこの紫外側青色ＬＤを覆う蛍光材料を設けている。これより、光源装置２１から、波長約４５０ｎｍにピークを有する青領域の光源光と、波長５２０〜５５０ｎｍの緑領域の蛍光光と、波長６３０ｎｍの赤領域の光源光とが射出される。この場合、スクリーン用フィルタ１８ｆにおいて、一方のフィルタ要素層１８ｇのバンドリジェクション範囲を例えば波長４７０ｎｍ〜５１０ｎｍとし、他方のフィルタ要素層１８ｈのバンドリジェクション範囲を例えば波長５７０ｎｍ〜６１０ｎｍとする。これにより、緑領域の蛍光光について透過波長幅を比較的広くとることができ透過損失を抑えることができる。
【００３６】
以上をまとめると、光源装置２１の光源の波長分布や用途に応じて、スクリーン用フィルタ１８ｆを構成するフィルタ要素層１８ｇ，１８ｈのバンドリジェクション範囲を適宜設定することができ、コントラストや輝度を適宜バランスさせた表示が可能となる。
【００３７】
〔第２実施形態〕
図５は、本発明の第２実施形態に係るメガネを説明する側面図である。このメガネは、図１に示す第１実施形態のプロジェクタ１０を変形したプロジェクタ１１０を観察するために利用するものである。
【００３８】
この場合、反射型スクリーン部材１１８が図２に示す構造と異なるものとなっている。つまり、反射型スクリーン部材１１８は、図２に示す本体基材１８ａと反射層１８ｂとを備えるのみであり、スクリーン用フィルタ１８ｆを有していない。その代わり、視聴者が着用するメガネ１３０のレンズ部分１３１の表面１３１ａや裏面１３１ｂ上に、図２に示すスクリーン用フィルタ１８ｆと同様の構造を有するフィルタを成膜している。つまり、レンズ部分１３１は、青領域と緑領域の中間波長（例えば４７０〜５２０ｎｍ）で低透過率に抑えられており、また、赤領域と緑領域の中間波長（例えば５５０〜６６０ｎｍ）で低透過率に抑えられている。これにより、このような中間波長域の光が視聴者の目ＥＹに入射することを防止できる。具体的には、外光ＥＬ１が外乱光ＤＬとして観察されることや、外光ＥＬ２が直接観察されることを防止でき、反射型スクリーン部材１８上に投射される画像を高コントラストの状態で観察することができる。
【００３９】
〔第３実施形態〕
図６は、第３実施形態に係るプロジェクタ及びメガネを説明する側面図である。このプロジェクタ２１０は、第１実施形態のプロジェクタ１０を変形したものであり、メガネ２３０も、第２実施形態のメガネ１３０を変形したものである。
【００４０】
この場合、プロジェクタ２１０が、輝線スペクトル型のランプ照明装置である蛍光灯２４０の照明下にある。そして、プロジェクタ２１０の反射型スクリーン部材２１８は、図７に示すように、反射層１８ｂ及び反射層１８ｂからなるスクリーン本体上に、スクリーン用フィルタ２１８ｆを設けている。このスクリーン用フィルタ２１８ｆは、それぞれがバンドリジェクションフィルタである３つのフィルタ要素層１８ｇ，１８ｈ，２１８ｉを３段に積層した構造となっている。
【００４１】
図８は、図７に示すスクリーン用フィルタ２１８ｆの透過率特性を説明するグラフである。図８のグラフ中で、実線は第１フィルタ要素層１８ｇの透過率を示し、点線は第２フィルタ要素層１８ｈの透過率を示し、二点鎖線は第３フィルタ要素層２１８ｉの透過率を示す。具体的には、第１フィルタ要素層１８ｇのバンドリジェクション範囲は、波長４７０〜５２０ｎｍとなっており、第２フィルタ要素層１８ｈのバンドリジェクション範囲は、波長５４０〜６１０ｎｍとなっている。さらに、第３フィルタ要素層２１８ｉのバンドリジェクション範囲は、波長４３０〜４４０ｎｍとなっている。これにより、蛍光灯２４０に含まれる波長４３５ｎｍ、５４０ｎｍ等の輝線スペクトルを除去することができる。一方で、波長４００〜４３０ｎｍ、４４０〜４７０ｎｍ（青領域）、５２０ｎｍ〜５４０ｎｍ（緑領域）、及び６１０〜６６０ｎｍ（赤領域）の像光ＩＬを観察することができる。
【００４２】
本実施形態では、外光のみならず照明光ＥＬ３が外乱光ＤＬとして観察されることを防止でき、反射型スクリーン部材２１８上に形成される画像を高コントラストの状態で観察することができる。
【００４３】
なお、上記実施形態において、メガネ２３０のレンズ部分１３１の表面や裏面上に、図７に示すスクリーン用フィルタ２１８ｆと同様の構造のフィルタを成膜することもできる。この場合、照明光ＥＬ３が外乱光ＤＬとして観察されることや、照明光ＥＬ４が直接観察されることを防止でき、プロジェクタ本体１４によって投射される画像を高コントラストの状態で観察することができる。
【００４４】
〔第４実施形態〕
図９は、第４実施形態に係るリアプロジェクタの全体構造を説明する側面図である。このリアプロジェクタ３１０は、筐体であるケース１２の底部にプロジェクタ本体１４を備え、ケース１２内の背面側上部に反射ミラー１６を備え、ケース１２前面に透過型スクリーン部材３１８を備える。プロジェクタ本体１４から射出された像光は、光軸ＯＡ１に略沿って後方斜め上方に進行し、反射ミラー１６で光軸ＯＡ２方向に略沿って前面側に折り曲げられて、透過型スクリーン部材３１８に入射する。
【００４５】
プロジェクタ本体１４は、外観上異なるが、図１に示す第１実施形態の場合と同様の構造を有する。なお、プロジェクタ本体１４からの像光は、光軸ＯＡ２に略沿って全体として傾いた状態で透過型スクリーン部材３１８に入射する。このため、投射レンズ２９を光軸ＯＡ１に対して垂直方向に適宜変位させること等によって、透過型スクリーン部材３１８に矩形のシャープな映像を投影することとしている。
【００４６】
反射ミラー１６は、台形の平面ミラーであり、不図示の手段によってケース１２内に位置決めして固定されている。
【００４７】
透過型スクリーン部材３１８は、開口形成用のマスクを兼ねるホルダ１９に支持されており、ホルダ１９とともに前面支持枠１２ｂに埋め込まれた状態で固定されている。
【００４８】
図１０（ａ）に示すように、透過型スクリーン部材３１８は、裏面側に配置されてこれに入射した像光を透過型スクリーン部材３１８の法線にほぼ平行に折り曲げるフレネルレンズシート３１８ａと、像光を適当な発散角で射出させるレンチキュラレンズシート３１８ｂと、表面側に配置される保護用のフロントパネル３１８ｃとを積層した構造となっている。これらフレネルレンズシート３１８ａ、レンチキュラレンズシート３１８ｂ、及びフロントパネル３１８ｃは、例えばメタクリル樹脂、ポリエチレン等の透過性の良い樹脂材料を熱成形等によって加工することによって得たものであり、それぞれ０．５〜２ｍｍ程度の厚さを有する。なお、以上説明したフロントパネル３１８ｃ等については、ガラス等と透明樹脂とを積層した構造とすることもできる。
【００４９】
ここで、透過型スクリーン部材３１８の最も表面側に設けたフロントパネル３１８ｃの表面には、スクリーン用フィルタ３１８ｆが形成されている。このスクリーン用フィルタ３１８ｆは、図２に示す反射型スクリーン部材１８のスクリーン用フィルタ１８ｆ等と同一の構造を有する。
【００５０】
このリアプロジェクタ３１０の場合も、透過型スクリーン部材３１８が、青領域と緑領域の中間波長や赤領域と緑領域の中間波長で低透過率に抑えられている。これにより、このような中間波長域の光が視聴者の目に入射することを防止できる。つまり、このような中間波長域の外光が外乱光として観察されること等を防止でき、透過型スクリーン部材３１８上に投射される画像を高コントラストの状態で観察することができる。
【００５１】
図１０（ｂ）は、図１０（ａ）に示す透過型スクリーン部材３１８を変形した透過型スクリーン部材４１８を示す。この透過型スクリーン部材４１８の場合、フロントパネル３１８ｃの裏面にスクリーン用フィルタ３１８ｆが形成されている。この場合も、中間波長域の光が視聴者の目に入射することを防止できる。
【００５２】
以上実施形態に即して本発明を説明したが、本発明は、上記実施形態に限定されるものではない。例えば、上記技術は、プロジェクタ１０，１１０、リアプロジェクタ３１０だけでなく、液晶表示装置（ＬＣＤ）、プラズマ表示装置（ＰＤＰ）等の各種平面ディスプレイ（ＦＰＤ）に適用することができる。つまり、これらディスプレイの表示面上に、図２、図７等に示す構造を有し図３（ａ）、図８等に示す特性を有する反射型スクリーン部材１８，２１８と同様の特性を有するスクリーン部材を取り付けることができる。
【００５３】
また、上記実施形態では、スクリーン部材１８，２１８，３１８を構成するフィルタ要素層１８ｇ，１８ｈ，２１８ｉが図３（ａ）等に示すバンドリジェクション型の遮断特性を有するが、バンドパス型の透過特性を有するフィルタ要素によって同様の目的を達成することもできる。すなわち、青領域、緑領域、及び赤領域の像光ＩＬを透過させる透過特性を有するバンドパス型のフィルタ要素を３段に積層したスクリーン用フィルタを各種反射型又は透過型スクリーン部材に形成することができる。
【００５４】
また、上記実施形態では、各フィルタ要素層１８ｇ，１８ｈ，２１８ｉが積層される場合について説明したが、これらを例えばメガネ１３０のレンズ部分１３１の表面と裏面といったように分離して形成することができる。
【図面の簡単な説明】
【００５５】
【図１】第１実施形態に係るプロジェクタを説明する図である。
【図２】図１に示す反射型スクリーン部材の断面構造を説明する図である。
【図３】（ａ）は、図２に示すスクリーン用フィルタの透過率特性を説明するグラフであり、（ｂ）は、光源光の波長特性を説明するグラフである。
【図４】（ａ）〜（ｃ）は、光源装置の変形例を説明するグラフである。
【図５】第２実施形態に係るメガネを説明する側面図である。
【図６】第３実施形態に係るプロジェクタ及びメガネを説明する側面図である。
【図７】図６に示す反射型スクリーン部材の断面構造を説明する図である。
【図８】図７に示すスクリーン用フィルタの透過率特性を説明するグラフである。
【図９】第４実施形態に係るリアプロジェクタの構造を説明する側面図である。
【図１０】（ａ）、（ｂ）は、反射型スクリーン部材の断面構造を説明する図である。
【符号の説明】
【００５６】
１０，１１０、２１０…プロジェクタ、  １４…プロジェクタ本体、  １６…反射ミラー、  １８，１１８、２１８…反射型スクリーン部材、  １８ａ…本体基材、  １８ｂ…反射層、  １８ｆ…スクリーン用フィルタ、  １８ｇ，１８ｈ…フィルタ要素層、  ２１…光源装置、  ２３…色分割光学系、  ２５…光変調部、  ２７…光合成光学系、  ２９…投射レンズ、  １３０，２３０…メガネ、  ３１０…リアプロジェクタ  ３１８…透過型スクリーン部材、  ＥＹ…目、  ＩＬ…像光
【図１】
2006243227.tif 000003
【図２】
2006243227.tif 000004
【図３】
2006243227.tif 000005
【図４】
2006243227.tif 000006
【図５】
2006243227.tif 000007
【図６】
2006243227.tif 000008
【図７】
2006243227.tif 000009
【図８】
2006243227.tif 000010
【図９】
2006243227.tif 000011
【図１０】
2006243227.tif 000012